(57)【特許請求の範囲】
【請求項１】
ユーザーによる指示を受け付ける入力手段と、
前記入力手段により受け付けられた前記ユーザーによる指示をトリガにして、表示手段における表示が連続的に縮尺変更されるように、前記表示手段における表示対象の表示を制御する制御手段とを有し、
前記制御手段は、
前記縮尺変更の間に前記入力手段によりスクロールが指示されると、前記縮尺変更を停止して、前記表示手段における前記表示対象の表示領域をスクロールさせ、
制限値の縮尺まで変更された際の前記表示手段における表示内に、前記縮尺変更をする前の表示領域を含ませる、表示装置。
【請求項２】
前記制御手段は、前記縮尺変更をする前の縮尺に対する縮尺が第１の閾値以下の場合、前記縮尺変更をする前の前記表示領域を当該表示領域の四隅を示す囲みで示す、請求項１に記載の表示装置。
【請求項３】
前記制御手段は、前記縮尺変更をする前の縮尺に対する縮尺が前記第１の閾値より小さい第２の閾値以下の場合、前記縮尺変更をする前の前記表示領域を矩形のハッチングにより示す、請求項２に記載の表示装置。
【請求項４】
前記制御手段は、前記縮尺変更をする前の縮尺に対する縮尺が前記第２の閾値より小さい第３の閾値以下の場合、前記縮尺変更をする前の前記表示領域を水平方向及び垂直方向に延長する線分によるカーソルで示す、請求項３に記載の表示装置。
【請求項５】
前記制御手段は、
前記トリガに応じて、前記表示手段における表示のズームアウトを開始した後、前記表示手段における表示の縮尺が制限値となるとズームインさせるように前記縮尺変更をし、
前記縮尺変更の間は、前記ズームアウトを開始してから前記ズームインを終了するまでの間を指す、請求項１〜４のいずれか１項に記載の表示装置。
【請求項６】
前記制御手段は、前記表示手段における表示が前記縮尺変更をする前の縮尺となるように前記ズームインを行う、請求項５に記載の表示装置。
【請求項７】
前記制御手段は、
前記ズームアウトを開始した後、前記ズームインを終了するまでの間に、前記入力手段によりスクロールが指示されない場合、
前記ズームアウトにより前記表示手段の表示の縮尺が制限値となると、前記ズームアウトを終了した後、一定時間の経過を待って、ズームインさせる
請求項５または６のいずれかに記載の表示装置。
【請求項８】
前記制御手段は、
前記表示手段の表示の縮尺が制限値となった後の、前記一定時間の間に、前記入力手段によりスクロールが指示された場合、
前記スクロールの終了により、前記表示手段の表示をズームインさせる
請求項７に記載の表示装置。
【請求項９】
前記制御手段は、
前記ズームアウトを開始した後、前記表示手段の表示の縮尺が制限値となるまでの間に、前記入力手段によりスクロールが指示された場合、
前記スクロールの終了により、前記表示手段の表示をズームインさせる
請求項５〜８のいずれか１項に記載の表示装置。
【請求項１０】
前記制御手段は、
前記入力手段による前記ユーザーの指示をトリガにして、前記表示手段の表示をズームインさせる
請求項５〜９のいずれか１項に記載の表示装置。
【請求項１１】
前記表示対象が地図である
請求項１〜１０のいずれか１項に記載の表示装置。
【請求項１２】
現在位置を検出する現在位置検出手段を有し、
前記制御手段は、
前記現在位置検出手段で検出される現在位置から、前記入力手段を介して設定される目
的地までのルート検索の処理を実行し、
該ルート検索の処理により検出されたルートに従って、前記表示手段に前記地図を表示
する
請求項１１に記載の表示装置。
【請求項１３】
演算処理手段に所定の処理手順を実行させることにより、表示内容を制御する表示方法において、
前記所定の処理手順は、
ユーザーによる指示をトリガにして、表示手段における表示を連続的に縮尺変更することと、
前記縮尺変更の間に前記ユーザーによりスクロールが指示されると、前記縮尺変更を停止して前記表示手段における表示対象の表示領域をスクロールさせることと、
制限値の縮尺まで変更された際の前記表示手段における表示内に、前記縮尺変更をする前の表示領域を含ませることと、
を含む、表示方法。
【請求項１４】
演算処理手段に所定の処理手順を実行させることにより、表示内容を制御する表示方法のプログラムにおいて、
前記所定の処理手順は、
ユーザーによる指示をトリガにして、表示手段における表示を連続的に縮尺変更することと、
前記縮尺変更の間に前記ユーザーによりスクロールが指示されると、前記縮尺変更を停止して前記表示手段における表示対象の表示領域をスクロールさせることと、
制限値の縮尺まで変更された際の前記表示手段における表示内に、前記縮尺変更をする前の表示領域を含ませることと、
を含む、表示方法のプログラム。
【請求項１５】
演算処理手段に所定の処理手順を実行させることにより、表示内容を制御する表示方法のプログラムを記録した記録媒体において、
前記所定の処理手順は、
ユーザーによる指示をトリガにして、表示手段における表示を連続的に縮尺変更することと、
前記縮尺変更の間に前記ユーザーによりスクロールが指示されると、前記縮尺変更を停止して前記表示手段における表示対象の表示領域をスクロールさせることと、
制限値の縮尺まで変更された際の前記表示手段における表示内に、前記縮尺変更をする前の表示領域を含ませることと、
を含む、
表示方法のプログラムを記録した記録媒体。
【発明の詳細な説明】
【技術分野】
【０００１】
本発明は、表示装置、表示方法、表示プログラム及び表示プログラムを記録した記録媒体に関し、例えばカーナビゲーション装置に適用することができる。本発明は、ユーザーの指示をトリガにして一時的に表示をズームアウトして元の大きさで表示するようにして、これらの処理の間でユーザーによるスクロールの操作を受け付けることにより、簡易な操作により、表示中の領域の周辺領域の施設等を確認することができるようにする。
【背景技術】
【０００２】
従来、カーナビゲーション装置においては、地図を表示してユーザーを目的地に道案内するようになされている。このようなカーナビゲーション装置においては、ユーザーによる操作に応動してこの地図表示の縮尺を切り換え、さらには表示をスクロールさせることができるようになされている。
【０００３】
このような地図の表示に関しては種々の工夫が提案されるようになされており、例えば特開２０００−２９２１９４号公報には、ユーザーによる操作に応動してスクロールの速度を切り換えることにより、スクロールに係る操作を向上する方法が提案されるようになされている。
【０００４】
ところでユーザーにおいては、カーナビゲーション装置により現在位置の地図を表示した状態で、この地図の表示上で、現在位置の周辺を確認したり、最寄りの幹線道路、駅、公共施設等である周辺施設と現在位置との位置関係を把握する場合がある。このような場合において、目的とする地点が現在位置の地図上で表示されていない場合、ユーザーにおいては、地図表示の縮尺を小さくして目的とする地点を確認した後、地図表示を元の縮尺に戻すことになる。
【０００５】
またこのような場合において、目的とする地点を詳細な地図表示により確認する場合、ユーザーにおいては、地図表示の縮尺を小さくして目的とする地点を表示した後、この目的の地点が画面中央になるように地図表示をスクロールさせ、地図表示の縮尺を増大させることが必要になり、その後、改めて元の縮尺により現在位置を表示させることになる。
【０００６】
これらにより従来のカーナビゲーション装置においては、表示中の領域の周辺領域の施設等を確認する場合に、煩雑な操作の繰り返さなければならない問題があった。
【先行技術文献】
【特許文献】
【０００７】
【特許文献１】特開２０００−２９２１９４号公報
【発明の概要】
【発明が解決しようとする課題】
【０００８】
本発明は以上の点を考慮してなされたもので、簡易な操作により、表示中の領域の周辺領域の施設等を確認することができる表示装置、表示方法、表示プログラム及び表示プログラムを記録した記録媒体を提案しようとするものである。
【課題を解決するための手段】
【０００９】
本開示によれば、ユーザーによる指示を受け付ける入力手段と、前記入力手段により受け付けられた前記ユーザーによる指示をトリガにして、表示手段における表示が縮尺変更されるように、前記表示手段における前記表示対象の表示を制御する制御手段とを有し、前記制御手段は、前記縮尺変更の間に前記入力手段によりスクロールが指示されると、前記縮尺変更を停止して、前記表示手段における前記表示対象の表示領域をスクロールさせ、前記縮尺変更をする前の前記表示領域を前記表示手段における表示内に示す、表示装置が提供される。
【００１０】
また本開示によれば、演算処理手段に所定の処理手順を実行させることにより、表示内容を制御する表示方法の前記処理手順が、ユーザーによる指示をトリガにして、表示手段における表示を縮尺変更することと、前記縮尺変更の間に前記ユーザーによりスクロールが指示されると、前記縮尺変更を停止して前記表示手段における表示対象の表示領域をスクロールさせることと、前記縮尺変更をする前の前記表示領域を前記表示手段における表示内に示すこととを含む、表示方法が提供される。
【００１１】
また本開示によれば、演算処理手段に所定の処理手順を実行させることにより、表示内容を制御する表示方法のプログラムの、前記処理手順が、ユーザーによる指示をトリガにして、表示手段における表示を縮尺変更することと、前記縮尺変更の間に前記ユーザーによりスクロールが指示されると、前記縮尺変更を停止して前記表示手段における表示対象の表示領域をスクロールさせることと、前記縮尺変更をする前の前記表示領域を前記表示手段における表示内に示すことと、を含む表示方法のプログラムが提供される。
【００１２】
また本開示によれば、演算処理手段に所定の処理手順を実行させることにより、表示内容を制御する表示方法のプログラムを記録した記録媒体の、前記処理手順が、ユーザーによる指示をトリガにして、表示手段における表示を縮尺変更することと、前記縮尺変更の間に前記ユーザーによりスクロールが指示されると、前記縮尺変更を停止して前記表示手段における表示対象の表示領域をスクロールさせることと、前記縮尺変更をする前の前記表示領域を前記表示手段における表示内に示すことと、を含む表示方法のプログラムを記録した記録媒体が提供される。
【００１３】
かかる構成により、ユーザーにおいては、単に入力手段を介してトリガを与えるだけで、例えば現在位置近傍の大きな領域より周辺施設を確認することができる。また必要に応じてスクロールを指示することにより、例えば現在の表示されている地点から遠く離れた地点についても、簡易な操作により確認することができる。
【００１４】
また、簡易な操作により、表示中の領域の周辺領域の施設等を確認することができる表示装置、表示方法、表示方法のプログラム、表示方法のプログラムを記録した記録媒体を提供することができる。
【発明の効果】
【００１５】
本発明によれば、簡易な操作により、表示中の領域の周辺領域の施設等を確認することができる。
【図面の簡単な説明】
【００１６】
【図１】本発明の実施例に係るカーナビゲーション装置のコントローラの処理手順を示すフローチャートである。
【図２】本発明の実施例に係るカーナビゲーション装置によるシステム構成を示す略線図である。
【図３】本発明の実施例に係るカーナビゲーション装置を示すブロック図である。
【図４】図１の続きを示すフローチャートである。
【図５】何らスクロールが指示されない場合の説明に供する特性曲線図である。
【図６】ズームアウト時にスクロールが指示された場合の説明に供する特性曲線図である。
【図７】ズームイン時にスクロールが指示された場合の説明に供する特性曲線図である。
【図８】図５の特性による地図表示に説明に供する平面図である。
【図９】一時ズームにおける地図表示を示す平面図である。
【図１０】他の実施例に係る特性曲線図である。
【発明を実施するための形態】
【００１７】
以下、適宜図面を参照しながら本発明の実施例を詳述する。
【実施例１】
【００１８】
（１）実施例の構成
図２は、本発明の実施例に係るカーナビゲーション装置１に係るカーナビゲーションシステムを示す斜視図である。このカーナビゲーション装置１は、カーナビゲーション装置の機能に加えて、オーディオ、ビデオを再生するコンテンツ提供装置の機能を有するマルチメディア端末であり、所定厚みによる板形状により形成され、矢印Ａにより示すように、車両のセンタコンソールに設けられた車載用クレードル２Ａにセットして使用できるようになされている。
【００１９】
このためこのカーナビゲーション装置１においては、下側端面に各種データの入出力に係る端子等が設けられ、車載用クレードル２Ａにセットした場合には、この下側端面の端子により車載用クレードル２Ａに接続されて電源の供給等を受け、さらに動作に必要な各種のデータ等を入出力する。
【００２０】
またカーナビゲーション装置１は、この車載用クレードル２Ａから取り外して持ち帰り、矢印Ｂにより示すように、例えば家庭に設けられた家庭用クレードル２Ｂにセットすることにより、この家庭用クレードル２Ｂを介してコンピュータ３、テレビジョン受像機４に接続できるように構成される。
【００２１】
カーナビゲーション装置１は、このような家庭用クレードル２Ｂを介したコンピュータ３との接続においては、マルチメディア端末としての動作に必要な各種ファイルのアップロード、ダウンロードに供される。このためコンピュータ３においては、このカーナビゲーション装置１に対応するアプリケーションプログラムの起動により、家庭用クレードル２Ｂを介してコンピュータ３に保持された所定のファイルをカーナビゲーション装置１にアップロードし、またこれとは逆にカーナビゲーション装置１から所定のファイルをダウンロードできるようになされている。このカーナビゲーション装置１においては、このようなアップロード、ダウンロードに供するファイルとして、ＡＶコンテンツに係るファイル、電子メール、ナビゲーションに供する地図のファイルが適用され、さらにＡＶコンテンツに係るファイルとしては、映画、テレビ番組等のファイル、音楽ファイルが適用されるようになされている。
【００２２】
カーナビゲーション装置１は、このような家庭用クレードル２Ｂを介したテレビジョン受像機４との接続においては、マルチメディア端末として各種コンテンツをテレビジョン受像機４を介してユーザーに提供できるようになされ、さらにはテレビジョン受像機４に地図を表示してナビゲーションの機能に係るルート検索等の処理を実行できるようになされている。
【００２３】
これらのためこのカーナビゲーション装置１は、車載時にコンテンツ等を表示する表示画面１１が正面に形成され、この表示画面１１の上に、ユーザーによる操作を検出するタッチパネル３９が設けられ、さらに表示画面１１の右側、上方に電源スイッチ１２が設けられる。またこの電源スイッチ１２とは逆側の操作パネルに、上方より、順次、ソース、プログラム、メニュー、ディスプレイ、地図、音量の操作子１３Ｐ〜１８Ｐが設けられるようになされている。
【００２４】
図３は、このカーナビゲーション装置１を関連する構成と共に示すブロック図である。カーナビゲーション装置１は、車載用クレードル２Ａを介して、外部ユニット２１に接続される。ここでこの外部ユニット２１は、例えば座席の下に設けられ、チュナー部２３、光ディスクドライブ２４等が設けられる。
【００２５】
ここでチュナー部２３は、カーナビゲーション装置１の制御により、テレビジョン放送波、道路交通情報通信システム（ＶＩＣＳ：VehicleInformationandCommunicationSystem）に係る交通情報を受信し、受信結果に係るビデオデータ、オーディオデータ、交通情報を車載用クレードル２Ａに出力する。これによりこのカーナビゲーション装置１では、車載用クレードル２Ａにセットして、テレビジョン放送を楽しむことができるようになされ、また交通情報を取得してユーザーに通知できるようになされている。
【００２６】
光ディスクドライブ２４は、同様のカーナビゲーション装置１の制御により、ＤＶＤ（DigitalVersatileDisk）、コンパクトディスク等の光ディスクを再生してビデオデータ、オーディオデータを車載用クレードル２Ａに出力する。これによりこのカーナビゲーション装置１は、車載用クレードル２Ａにセットして、ＡＵＸ入力により各種光ディスクによるＡＶコンテンツを楽しむことができるようになされている。
【００２７】
これに対して車載用クレードル２Ａは、ＧＰＳ部２２、オーディオの出力部２７が設けられる。ここでＧＰＳ部２２は、ＧＰＳ（GlobalPositioningSystem）に係る現在位置検出装置であり、カーナビゲーション装置１の制御により、現在位置を検出して出力する。これによりカーナビゲーション装置１では、車載用クレードル２Ａにセットした場合には、このＧＰＳ部２２で検出される現在位置の情報によりナビゲーションの処理を実行できるようになされている。
【００２８】
出力部２７は、このカーナビゲーション装置１からオーディオデータ、音声データを取得し、これらデータをアナログ信号に変換してＦＭ放送波により、さらには外部出力端子を介して出力する。これによりカーナビゲーション装置１においては、車載用クレードル２Ａにセットされた場合には、この出力部２７からの有線、無線によるオーディオ出力によりこのカーナビゲーション装置１が搭載されている車両のカーオーディオ装置２８にオーディオ信号、音声信号を出力し、このカーオーディオ装置２８を介してオーディオ信号及び音声信号を出力する。
【００２９】
なお家庭用クレードル２Ｂにおいては、同様の出力部が設けられ、このようなオーディオ信号、音声信号、ビデオ信号を有線により出力できるように構成され、これによりカーナビゲーション装置１をセットしてテレビジョン受像機４により各種ＡＶコンテンツを提供できるようになされている。
【００３０】
これらによりカーナビゲーション装置１では、車載用クレードル２Ａへのセットによりこの車載用クレードル２Ａのインターフェース（Ｉ／Ｆ）２５に接続されて、このインターフェース２５との間で外部ユニット２１に係る各種のデータを入出力するインターフェース２６が設けられるようになされている。
【００３１】
しかしてこのインターフェース２６は、コントローラ３３の制御により動作し、このカーナビゲーション装置１が車載用クレードル２Ａにセットされた場合、外部ユニット２１との間で種々のデータを入出力し、またこの入出力に係るデータをバスＢＵＳとの間で入出力するようになされている。これに対してこのカーナビゲーション装置１が家庭用クレードル２Ｂにセットされた場合、コンピュータ３との間でアップロード、ダウンロードに係るデータを入出力するようになされている。
【００３２】
またカーナビゲーション装置１において、インターフェース（Ｉ／Ｆ）３１は、コントローラ３３の制御により、このカーナビゲーション装置１の側面に設けられたカードスロットから挿入されるメモリカード３２との間で種々のデータを入出力し、またこのデータをバスＢＵＳとの間で入出力する。これによりカーナビゲーション装置１では、メモリカード３２を介して例えば電子スチルカメラで取得した静止画を取り込むことができるようになされ、またこれとは逆に取り込んだ静止画をメモリカード３２に記録できるようになされている。
【００３３】
通信ユニット３４は、無線通信ＬＡＮ（LocalAreaNetwork）に係る送受信装置であり、コントローラ３３の制御によりバスＢＵＳに出力されるデータをネットワークに送出し、またネットワークを介して所望するデータを取得してバスＢＵＳに出力する。これによりこのカーナビゲーション装置１では、この通信ユニット３４を介してインターネットに接続し、また電子メールを送受できるようになされている。
【００３４】
ハードディスク装置（ＨＤＤ）３５は、このカーナビゲーション装置１の処理に係るプログラム、コンテンツ等を記録して保持し、コントローラ３３の制御によりこれらのデータをバスＢＵＳに出力する。これによりハードディスク装置３５は、インターフェース２６、３１を介して外部機器から入力される各種ファイルのデータ、通信ユニット３４を介して取得した各種のデータ、これら外部機器に出力するデータ、電子メールに係るデータ等を保持し、必要に応じてバスＢＵＳに出力するようになされている。なおこのプログラムにおいては、事前のインストールにより提供されるようになされているものの、これに代えて、インターフェース２６、３１を介した記録媒体からのダウンロードにより、又は通信ユニット３４を用いたネットワークからのダウンロードによりハードディスク装置３５に記録するようにしてもよい。なおこの場合、記録媒体においては、光ディスク、メモリカード、磁気テープ等、種々の記録媒体を広く適用することができる。
【００３５】
表示部３７は、図２について上述した表示画面１１を形成する例えば液晶表示装置により構成され、コントローラ３３の制御により各種コンテンツ、地図等を表示する。
【００３６】
入力部３８は、この表示画面１１に配置されたタッチパネル３９による操作を検出するタッチパネルに係る構成、リモートコマンダ４０から出力される遠隔制御信号を受信する受信部４１、ソース、プログラム等の操作子１３Ｐ〜１８Ｐの操作を検出するインターフェースにより構成され、これらで検出されるユーザーによる操作をコントローラ３３に通知する。これによりこのカーナビゲーション装置１では、表示画面１１の側方に設けられた操作子１３Ｐ〜１８Ｐの操作により、表示画面１１に設けられたタッチパネル３９の操作により、さらにはリモートコマンダ４０の操作により、動作の切り換え等を実行できるようになされている。
【００３７】
しかしてリモートコマンダ４０は、カーナビゲーション装置１に設けられた操作子１３Ｐ〜１８Ｐに対応する操作子、表示画面１１におけるメニューの選択に係るスクロール等の操作子が設けられ、これら操作子の操作に応動して赤外線による遠隔制御信号を出力するようになされている。
【００３８】
コントローラ３３は、演算処理手段であり、入力部３８を介して検出されるリモートコマンダ４０等の操作に応動してハードディスク装置３５に記録されたプログラムを実行することにより、ユーザーの操作に応動してナビゲーションの処理を実行し、また各種コンテンツをユーザーに提供する。なおここでこの実施例において、このコントローラ３３の処理に係るプログラムにおいては、事前に、このカーナビゲーション装置１にインストールされて提供されるものの、このような事前のインルトールに代えて、インターネット等のネットワークを介したダウンロードにより提供するようにしてもよく、また種々の記録媒体を用いたインストールにより提供するようにしてもよい。因みにこのような記録媒体は、光ディスク、磁気ディスク、メモリカード等、種々の記録媒体を広く適用することができる。
【００３９】
すなわちコントローラ３３は、ユーザーによりコンテンツの提供が指示されると、ユーザーによる操作に応動してチュナー部２３、光ディスクドライブ２４、ハードディスク装置３５より得られる映像コンテンツ、音楽コンテンツ等を表示部３７、カーオーディオ装置２８を介して提供する。またインターネットの閲覧が指示されると、ブラウザソフトを起動して通信ユニット３４によりインターネットに接続し、通信ユニット３４より得られる映像等を表示部３７で表示し、また音声データを出力部２７により出力する。また電子メールに係る処理が指示されると、メーラーを起動してハードディスク装置３５に保持された電子メールを表示部３７で表示し、またこのような表示に供する電子メールを通信ユニット３４を介して取得する。またユーザーによる電子メールの入力を受け付け、この電子メールを通信ユニット３４を介して送信する。また静止画の閲覧が指示されると、メモリカード３２、ハードディスク装置３５から処理対象に係る静止画ファイルを取得し、この静止画ファイルに係る静止画を表示部３７で表示する。
【００４０】
これに対してユーザーにより地図の表示が指示されると、ＧＰＳ部２２から現在位置の情報を取得し、この現在位置の情報を基準にしてハードディスク装置３５に記録した地図データをロードする。またこのロードした地図データにより表示部３７で地図を表示する。またユーザーによりナビゲーションの処理が指示されると、ユーザーにより目的地等の入力を受け付け、またＧＰＳ部２２から現在位置の情報を取得し、これらの情報によりルート検索の処理を実行する。コントローラ３３は、このようにして検出したルートによりユーザーを道案内するように、ユーザーの設定に応じて地図を表示して各種の情報を出力する。
【００４１】
コントローラ３３は、このようにして地図を表示した状態で、リモートコマンダ４０の操作により、又はタッチパネル３９の操作により、ユーザーにより地図表示のスクロールが指示されると、ユーザーによる指示に応動して地図表示をスクロールさせる。なおここでリモートコマンダ４０によるスクロールの指示においては、例えばリモートコマンダ４０に設けられたジョイステックの操作、スクロール方向を指示する押圧操作子の操作等である。またタッチパネル３９の操作によるスクロールの指示においては、スクロールにより表示させたい方向に、スクロールの時間の間だけ表示画面の中央から変位した位置を指等で接触する操作、スクロールにより表示させたい方向に、画面中央から接触された指等をスライドさせた後、スクロールの時間の間だけタッチパネル３９に接触させておく等の操作である。
【００４２】
これに対してユーザーにより地図表示の縮尺切り換えが指示されると、ユーザーによる指示に応動して地図表示の縮尺を順次段階的に切り換える。なおここでリモートコマンダ４０による縮尺切り換えの指示においては、例えばリモートコマンダ４０に設けられた広域、詳細の操作子の操作等である。またタッチパネル３９の操作による縮尺切り換えの指示においては、地図表示の縮尺を指示するメニューを表示した後、このメニューにより縮尺を選択する操作である。
【００４３】
これらによりこのカーナビゲーション装置１では、従来のカーナビゲーション装置と同様の使い勝手を確保できるようになされている。
【００４４】
さらにコントローラ３３は、ユーザーにより一時ズームの指示が得られると、図１及び図４に示す処理手順の実行により、この一時ズームの指示をトリガにして連続的に地図表示の縮尺を低減して地図表示をズームアウトした後、一定時間の経過を待って、この地図表示を元の縮尺にズームインさせる。またこのとき、ユーザーによりスクロールが指示されると、ズームアウトを終了して、又はズームインを一時中止して、地図表示をスクロールさせた後、元の縮尺にズームインさせる。
【００４５】
なおここでこのような一時ズームの指示にあっては、リモートコマンダ４０に設けられた専用操作子の押圧操作、タッチパネル３９の所定領域の一時的な接触、タッチパネル３９による所定形状の軌跡の入力等を適用することができる。
【００４６】
すなわちコントローラ３３は、この処理手順を開始すると、ステップＳＰ１からステップＳＰ２に移り、ここでユーザーによる指示が一時スクロールの指示か否か判断し、ここで否定結果が得られると、ステップＳＰ２からステップＳＰ３に移ってこの処理手順を終了する。これに対してステップＳＰ２で肯定結果が得られると、コントローラ３３は、ステップＳＰ２からステップＳＰ４に移り、ここで一定の変化率により地図表示の縮尺を低減して地図表示をズームアウトさせる。また続くステップＳＰ５において、ユーザーによりスクロールが指示されたか否か判断し、ここで否定結果が得られると、ステップＳＰ６に移る。ここでコントローラ３３は、現在のズームアウトの縮尺が事前に設定された制限値か否か判断し、ここで否定結果が得られると、ステップＳＰ６からステップＳＰ４に戻る。これによりコントローラ３３は、一旦、ユーザーにより一時ズームの指示が得られると、ユーザーによりスクロールが指示されない限り、ステップＳＰ４−ＳＰ５−ＳＰ６−ＳＰ４の処理手順を繰り返し、地図表示の縮尺が制限値となるまで、徐々に地図表示の縮尺を低減して地図表示をズームアウトさせる。
【００４７】
なおこれらによりステップＳＰ６の判断に係る制限値にあっては、ユーザーによる事前の設定、この一連の処理に係るプログラムの設定等による、最大にズームアウトした場合における地図表示の縮尺値である。この制限値にあっては、単に縮尺値により設定する場合の他に、ズームアウト開始時における地図表示の縮尺に対して一定の倍率となるように設定するようにしてもよい。
【００４８】
またこのようにしてズームアウトさせて地図表示の縮尺が制限値となると、コントローラ３３は、ステップＳＰ６で肯定結果が得られることにより、ステップＳＰ６からステップＳＰ７に移り、内蔵のタイマをスタートさせて時間計測を開始し、続くステップＳＰ８において、ユーザーによりスクロールが指示されたか否か判断する。ここで否定結果が得られると、コントローラ３３は、ステップＳＰ９に移り、ステップＳＰ７で時間計測を開始したタイマにより一定時間経過したか否か判断する。ここで否定結果が得られると、コントローラ３３は、ステップＳＰ８に戻る。これによりズームアウトして地図表示の縮尺が制限値となると、コントローラ３３は、ユーザーによりスクロールが指示されない限り、ステップＳＰ８−ＳＰ９−ＳＰ８の処理手順を繰り返し、ズームアウトを停止して一定の時間経過を待機する。
【００４９】
またこのようにして一定時間が経過してステップＳＰ９で肯定結果が得られると、コントローラ３３は、ステップＳＰ９からステップＳＰ１０に移り、ここで地図表示の縮尺を一定の変化率により増大させることにより、地図表示をズームインさせる。また続くステップＳＰ１１において、ユーザーによりスクロールが指示されたか否か判断し、ここで否定結果が得られると、ステップＳＰ１２に移る。ここでコントローラ３３は、現在の地図表示の縮尺が元の縮尺か否か判断し、ここで否定結果が得られると、ステップＳＰ１２からステップＳＰ１０に戻る。これによりコントローラ３３は、制限値の縮尺まで地図表示をズームアウトさせた後、一定時間経過すると、ステップＳＰ１０−ＳＰ１１−ＳＰ１２−ＳＰ１０の処理手順を繰り返し、地図表示の縮尺が元の縮尺となるまで、徐々に地図表示の縮尺を増大して地図表示をズームインさせる。
【００５０】
またこのようにしてズームインさせて地図表示の縮尺が元の縮尺となると、ステップＳＰ１２で肯定結果が得られることにより、ステップＳＰ１２からステップＳＰ３に移り、この処理手順を終了する。
【００５１】
これによりコントローラ３３は、図５において符号ＬＬ１により地図表示の縮尺の変化を示すように、一時ズームの指示により、制限値まで地図表示をズームアウトさせた後、一定時間の経過により、元の縮尺に地図表示をズームインさせる。この一連の処理において、コントローラ３３は、ズームアウト、ズームインによる画像の変化が滑らかに見て取られるようにする。また縮尺の変化が直線的になるように、すなわち時間を変数に設定した一次関数により縮尺が表現されるように、ズームアウト、ズームインの処理を実行し、これによりズームアウト、ズームイン時において違和感を感じないようにする。
【００５２】
これに対してこのようにしてズームアウトの際にユーザーによりスクロールが指示されると、コントローラ３３は、ステップＳＰ５で肯定結果が得られることにより、ステップＳＰ５からステップＳＰ１３に移る。これによりコントローラ３３は、ズームアウトを終了した後、ユーザーによる指示に応動して地図表示をスクロールさせ、ステップＳＰ１０に移る。
【００５３】
これによりコントローラ３３は、図５との対比により図６において符号ＬＬ２により示すように、ズームアウト中にユーザーにより時点ｔ１でスクロールが指示されると、ズームアウトを中止してユーザーの指示に応じて地図表示をスクロールさせ、時点ｔ２においてユーザーによるスクロールの指示が終了すると、元の縮尺に地図表示をズームインさせる。
【００５４】
またズームアウトして制限値により表示した状態でスクロールが指示されると、コントローラ３３は、ユーザーの指示に応じて地図表示をスクロールさせた後、ユーザーによるスクロールの指示の終了により、元の縮尺に地図表示をズームインさせる。
【００５５】
これに対して元の縮尺にズームインする際に、ユーザーによりスクロールが指示されると、コントローラ３３は、ステップＳＰ１１で肯定結果が得られることにより、ステップＳＰ１１からステップＳＰ１４に移り、ここでユーザーによる指示に応動して地図表示をスクロールさせた後、ステップＳＰ１２に移る。
【００５６】
これによりコントローラ３３は、図５との対比により図７において符号ＬＬ３により示すように、ズームイン中にユーザーにより時点ｔ１でスクロールが指示されると、ズームインを一時中止してユーザーの指示により地図表示をスクロールさせ、時点ｔ２においてユーザーによるスクロールの指示が終了すると、中止したズームインを再開して元の縮尺により地図を表示する。
【００５７】
これらにより図８において符号Ｌ１〜Ｌ５により表示部３７により表示される地図表示の領域変化を大まかに示すように、このカーナビゲーション装置１では、一時ズームの指示により、制限値まで地図表示をズームアウトさせた後、一定時間の経過により、元の縮尺に地図表示をズームインさせるようになされている。
【００５８】
ここで図９（Ａ）及び（Ｂ）は、図８との対比により示す表示部３７の表示画面であり、図９（Ａ）は、このような一時ズームの処理の前後に係る地図表示を示す平面図であり、図９（Ｂ）は、この一時ズームの処理により制限値にズームアウトした状態を示す平面図である。これらの地図表示において、コントローラ３３は、元の縮尺において表示されていた領域を示すマークを地図上に表示する。具体的にこの実施例では、元の縮尺に対する縮尺が所定値以下の場合、図９（Ｂ）に示すように、元の縮尺において表示されていた領域の四隅を示す囲みにより表示する。またこの縮尺がさらに小さくなった場合には、元の縮尺において表示されていた領域を、矩形のハッチングにより表示し、さらに縮尺が小さくなった場合には、元の縮尺において表示されていた領域の位置を、水平方向及び垂直方向に延長する線分によるカーソルにより表示する。
【００５９】
またコントローラ３３は、これらの各縮尺に対応して地図の縮尺を示す表示を併せて表示部３７の表示画面上に形成する。なおこの図９（Ａ）及び（Ｂ）の例では、この表示を地図表示における距離により表示するようになされている。
【００６０】
（２）実施例の動作
以上の構成において、このカーナビゲーション装置１では（図２、図３）、ユーザーによる指示により表示部３７に地図が表示され、この地図を用いてユーザーを目的地に道案内する。これによりユーザーにおいては、この地図の表示により、さらには表示縮尺の切り換えの操作を実行して現在位置を確認し、さらには地図の表示をスクロールさせて周辺地理を確認したりして、目的の施設を発見することになる。また場合によっては、この地図表示の縮尺切り換え、スクロールの操作を繰り返して目的の施設を検索し、さらには目的地を設定することになる。
【００６１】
このような操作に関して、カーナビゲーション装置１では、タッチパネル３９、リモートコマンダ４０の操作により、ユーザーが一時ズームを指示すると、コントローラ３３の制御により、この指示をトリガにして連続的に地図表示の縮尺が低減して地図表示がズームアウトした後、一定時間の経過を待って、この地図表示が元の縮尺にズームインする（図１、図４、図５及び図８）。
【００６２】
これによりこのカーナビゲーション装置１では、例えば現在位置の周辺施設を確認する場合にあっては、単に、一時ズームを指示するだけの簡易な操作により、一時的に、ズームアウトにより広い領域が地図により表示され、これによりユーザーにおいては、簡易な操作により周辺施設等を確認することができる。またこのようなズームアウトが一時的な表示であることにより、ユーザーにおいては、地図表示をわざわざ元の縮尺に戻さなくても、元の地図表示に戻って例えば地図表示によるナビゲーションの指示を受けることができ、これにより簡易な操作により周辺施設等を確認した後、それまでのカーナビゲーション装置１による各種情報提供を継続して受けることができる。
【００６３】
しかしてユーザーにおいては、このようにして一時的にズームアウトして目的の施設を確認した場合に、この目的の施設周辺を詳細に確認したい場合がある。
【００６４】
このためこのカーナビゲーション装置１では、これら一時ズームに係る処理において、ユーザーによりスクロールが指示されると、ズームアウト、ズームインが中止され、ユーザーの指示に応じて地図表示がスクロールされ、その後、元の縮尺にズームインする（図６及び図７）。これによりユーザーにおいては、この一時ズームにおけるズームアウト中に、ズームアウト後の一定の縮尺により表示している期間中に、さらにはズームイン中に、目的とする箇所が表示画面のほぼ中央になるように、地図表示をスクロールさせるだけで、目的とする施設等の周辺地図を詳細に確認することができる。
【００６５】
これらによりこのカーナビゲーション装置１では、簡易な操作により、表示中の領域の周辺領域の施設等を確認することができるようになされている。
【００６６】
これらの処理において、この一時ズームにおけるズームアウト中にユーザーがスクロールを指示した場合、ズームアウトの途中でユーザーが目的地を発見してスクロールを指示した場合であると考えられることにより、この場合は、スクロールの終了により、地図表示を元の縮尺にズームインさせる（図６）。
【００６７】
これによりこの場合、この一時ズームの処理に要する時間を極力短くして、ユーザーの所望する箇所の詳細地図を表示することができ、その分、使い勝手を向上することができる。
【００６８】
これに対してズームアウト後の一定の縮尺により表示している期間中に、ユーザーによりスクロールが指示された場合、この期間の経過を待つこと無く、この場合も、スクロールの終了により、地図表示を元の縮尺にズームインさせる。
【００６９】
これによりこの場合も、この一時ズームの処理に要する時間を極力短くして、ユーザーの所望する箇所の詳細地図を表示することができ、その分、使い勝手を向上することができる。
【００７０】
これに対してズームイン中に、ユーザーによりスクロールが指示された場合、ズームインの一時中止によりスクロールの処理を実行した後、中止したズームインの再開により、地図表示の縮尺を元に戻す。これによりユーザーにおいては、一旦、スクロールの操作により概ね画面中央に目的地を表示させたものの、ズームインにより目的地が画面から飛び出した場合、飛び出しそうになった場合、改めて表示をスクロールさせて、目的地等を詳細地図により確認することができ、これによってもユーザーの使い勝手を向上することができるようになされている。
【００７１】
（３）実施例の効果
以上の構成によれば、ユーザーの指示をトリガにして一時的に表示をズームアウトして元の大きさで表示するようにして、これらの処理の間でユーザーによるスクロールの操作を受け付けることにより、簡易な操作により、表示中領域の周辺領域に存在する施設等を確認することができる。
【００７２】
またこのようにしてズームアウトを開始した後、ズームインを終了するまでの間に、入力手段によりスクロールが指示されない場合、ズームアウトにより表示手段の表示の大きさが制限値となると、ズームアウトを中止した後、一定時間の経過を待って、元の大きさにズームインさせることにより、現在位置の周辺を確認する場合に、ユーザーにおいては単にトリガを与えるだけの簡易な操作により、周辺地域等を確認することができ、これにより使い勝手を向上することができる。
【００７３】
またズームアウトを開始した後、表示の大きさが制限値となるまでの間に、入力手段によりスクロールが指示された場合、スクロールの終了により元の大きさにズームインさせることにより、一時的なズームアウトに供する時間を極力短くして、ユーザーの所望する箇所の詳細地図を表示することができ、その分、使い勝手を向上することができる。
【００７４】
また表示手段の表示の大きさが制限値となった後の、一定時間の間に、入力手段によりスクロールが指示された場合、スクロールの終了により、表示手段の表示を元の大きさにズームインさせることによっても、一時的なズームアウトに供する時間を極力短くして、ユーザーの所望する箇所の詳細地図を表示することができ、その分、使い勝手を向上することができる。
【００７５】
またこのようなスクロールに供する表示対象が地図であることにより、地図の表示に適用して、さらにはカーナビゲーション装置に適用して、使い勝手を向上することができる。
【実施例２】
【００７６】
この実施例に係るカーナビゲーション装置においては、図２及び図３について上述した構成において、リモートコマンダ４０、タッチパネル３９の操作により一時ズームの処理におけるズームインの開始を指示できるように構成される。なおこの実施例に係るカーナビゲーション装置は、この一時ズーム時におけるズームインに係る構成が異なる点を除いて、実施例１に係るカーナビゲーション装置１と同一に構成されることにより、以下の説明においては、適宜、図２及び図３の構成を流用して説明する。
【００７７】
このためこの実施例に係るカーナビゲーション装置１のコントローラ３３においては、実施例１について上述したと同様にして、一時ズームの指示をトリガにしてズームアウトを開始した後、表示の縮尺が制限値になると、ズームアウトを終了する。またこのようにズームインしている状態で、またズームアウトを終了して制限値による縮尺により地図を表示している状態で、ユーザーによりこの一時ズームに係るズームインが指示されると、この指示をトリガにして元の縮尺に地図表示をズームインさせる。
【００７８】
なおこれらの一時ズームの際に、ユーザーによりスクロールが指示された場合、コントローラ３３は、実施例１について上述したと同様にしてスクロールの処理を実行する。この場合において、ズームアウト、制限値による縮尺により表示している間に、ユーザーによりスクロールが指示された場合、スクロールの終了により、ユーザーによる指示を待つこと無く、実施例１と同様にしてズームインによる地図表示を元の縮尺に戻す。
【００７９】
この実施例においては、一時ズームにおけるユーザーによる指示をトリガにしてズームインを開始することにより、ズームインの処理にユーザーの意思を反映して、例えば現在位置の周辺を長時間、検索する等の処理を実行することができ、これによっても使い勝手を向上することができる。
【００８０】
またこのとき、ズームアウトの際に、さらには制限値による縮尺により表示している間に、入力手段によりスクロールが指示された場合、スクロールの終了により、表示手段の表示を元の大きさにズームインさせることにより、一時的なズームアウトに供する時間を極力短くして、ユーザーの所望する箇所の詳細地図を表示することができ、その分、使い勝手を向上することができる。
【実施例３】
【００８１】
この実施例においては、図１０に示すように、実施例１に係る構成において、一時ズームの処理によるズームアウト、制限値による一定時間の表示、ズームインの際に、改めてユーザーにより一時ズームが指示されると、現在表示中の縮尺を基準にした制限値による縮尺まで、地図表示を改めてズームアウトした後、一定の時間の経過を待って、元の縮尺にズームインする。なおこの図１０に示す例においては、ズームインの際にユーザーにより一時ズームが改めて指示された場合である。
【００８２】
これによりこの実施例においては、必要に応じて一時ズームに係るトリガを繰り返し入力することにより、所望する縮尺にまでズームアウトして地図を確認することができ、これにより所望する目的地が検出できない場合等にこのような操作を繰り返して、ユーザーの使い勝手を向上することができる。
【実施例４】
【００８３】
なお上述の実施例においては、ズームアウトを制限値により制限する場合について述べたが、本発明はこれに限らず、このような制限を設けないようにしてもよい。
【００８４】
また上述の実施例においては、縮尺の変化が直線的となるように、すなわち時間を変数に設定した一次関数によりズームアウト、ズームイン時の縮尺を設定する場合について述べたが、本発明はこれに限らず、一時関数に代えて二次関数、指数関数等を適用する場合等、ズームアウト、ズームイン時における縮尺の変化にあっては必要に応じて種々に設定することができる。また表示に係る縮尺に代えて、時間を変数に設定して表示する領域の大きさを表現するようにして、ズームアウト、ズームイン時における縮尺の変化を設定するようにしてもよい。
【００８５】
また上述の実施例においては、通常の平面的な地図表示に本発明を適用する場合について述べたが、本発明はこれに限らず、いわゆる鳥瞰図形式による地図表示にも広く適用することができる。
【００８６】
また上述の実施例においては、本発明をカーナビゲーション装置における地図の表示に適用する場合について述べたが、本発明はこれに限らず、例えばパーソナルコンピュータ等における地図表示等、種々の装置における地図表示に広く適用することができる。またこのような地図を表示対象とする場合の他に、配線パターン図等の各種設計図、航空写真等の各種写真、さらには３次元構造物、３次元物体の視点を移動させた表示等に広く適用することができる。
【産業上の利用可能性】
【００８７】
本発明は、表示装置、表示方法、表示プログラム及び表示プログラムを記録した記録媒体に関し、例えばカーナビゲーション装置に適用することができる。
【符号の説明】
【００８８】
１……カーナビゲーション装置、３３……コントローラ、３７……表示部、３９……タ
ッチパネル、４０……リモートコマンダ
【図１】
0005585534.tif 000002
【図２】
0005585534.tif 000003
【図３】
0005585534.tif 000004
【図４】
0005585534.tif 000005
【図５】
0005585534.tif 000006
【図６】
0005585534.tif 000007
【図７】
0005585534.tif 000008
【図８】
0005585534.tif 000009
【図９】
0005585534.tif 000010
【図１０】
0005585534.tif 000011